(57)【要約】      （修正有）【課題】各種行事やスポーツ大会等で手軽に利用することができ、かつ、利用者や撮影者が、各種行事やスポーツ大会にマッチした文字を自由に取り付けることのできる撮影用装飾具を提供する。【解決手段】台座１と、羽子板を象った板状体、板状体の表面に取り付けられた鉄板及び布製カバー等よりなる本体部２と、裏面に磁石を設けた複数の文字板３及び装飾体４とを備え、本体部２の表面には、複数の文字板から選択した１つ以上の文字板（七、五、三の板）及び装飾体４を磁力により着脱自在に保持できるようにした。【選択図】図１
0003220948.tif 000002
【実用新案登録請求の範囲】
【請求項１】
運動具を象った板状体と、複数の文字板と、装飾体を備え、
前記板状体の表面側には、前記複数の文字板から選択した１つ以上の文字板及び前記装飾体を取り付けることが可能であり、
前記板状体の表面側には、少なくとも前記１つ以上の文字板を着脱自在に保持する保持手段が設けられている
ことを特徴とする撮影用装飾具。
【請求項２】
前記保持手段は、前記板状体の表面に取り付けられた保持用磁石又は保持用磁性体であり、
前記複数の文字板の裏面には、前記保持用磁石に吸着する吸着用磁性体若しくは吸着用磁石又は前記保持用磁性体に吸着する吸着用磁石が設けられている
ことを特徴とする請求項１記載の撮影用装飾具。
【請求項３】
前記複数の文字板には、少なくとも５０音の平仮名、濁点及び半濁点が含まれている
ことを特徴とする請求項１又は２記載の撮影用装飾具。
【請求項４】
前記板状体は、羽子板を象ったものである
ことを特徴とする請求項１〜３のいずれかに記載の撮影用装飾具。
【考案の詳細な説明】
【技術分野】
【０００１】
本考案は、羽子板や各種スポーツ用の運動具を象った板状体の表面側に各種装飾体を取り付け、さらに、複数の文字板の中から選択した文字板を取り付けられるようにした、各種行事やスポーツ大会等における記念撮影時に使用する撮影用装飾具に関する。
【背景技術】
【０００２】
羽子板を象った装飾具としては、特許文献１（実開昭５２−６３５９７号公報）に記載されているように、台板の上面に、装飾体を備えた針金やコマを象った装飾部材を差し込めるようにしたものや、特許文献２（実開昭５８−２９３１１号公報）に記載されているように、末広状部材の表面に、花等からなる装飾体を設けるとともに光学繊維の先端を多数配置したもの等が知られ、近年では特許文献３（特開２００９−２６１８５２号公報）に記載されているように、基板本体に写真を貼って絵柄にできるようにしたものも提案されている。
【０００３】
しかし、これらの羽子板を象った装飾具は、撮影を主な目的としたものではなく、室内や店舗等に設置して楽しむために製作されたものである。
また、スポーツ大会等においては、そのスポーツで用いた運動具を重ねたり並べたりして記念撮影が行われることもあるが、運動具を象った撮影用装飾具は利用されていない。
【先行技術文献】
【特許文献】
【０００４】
【特許文献１】実開昭５２−６３５９７号公報
【特許文献２】実開昭５８−２９３１１号公報
【特許文献３】特開２００９−２６１８５２号公報
【考案の概要】
【考案が解決しようとする課題】
【０００５】
本考案は、観光地等で常設されている撮影用の表示板等以外に、撮影を主な目的とした撮影用装飾具がないことに鑑み、各種行事やスポーツ大会等で手軽に利用することができ、かつ、利用者や撮影者が、各種行事やスポーツ大会にマッチした文字を自由に取り付けることのできる撮影用装飾具を提供することを課題とする。
【課題を解決するための手段】
【０００６】
請求項１に係る考案の撮影用装飾具は、
運動具を象った板状体と、複数の文字板と、装飾体を備え、
前記板状体の表面側には、前記複数の文字板から選択した１つ以上の文字板及び前記装飾体を取り付けることが可能であり、
前記板状体の表面側には、少なくとも前記１つ以上の文字板を着脱自在に保持する保持手段が設けられていることを特徴とする。
【０００７】
請求項２に係る考案の撮影用装飾具は、請求項１記載の撮影用装飾具において、
前記保持手段は、前記板状体の表面に取り付けられた保持用磁石又は保持用磁性体であり、
前記複数の文字板の裏面には、前記保持用磁石に吸着する吸着用磁性体若しくは吸着用磁石又は前記保持用磁性体に吸着する吸着用磁石が設けられていることを特徴とする。
【０００８】
請求項３に係る考案の撮影用装飾具は、請求項１又は２記載の撮影用装飾具において、
前記複数の文字板には、少なくとも５０音の平仮名、濁点及び半濁点が含まれていることを特徴とする。
【０００９】
請求項４に係る考案の撮影用装飾具は、請求項１〜３のいずれかに記載の撮影用装飾具において、
前記板状体は、羽子板を象ったものであることを特徴とする。
【考案の効果】
【００１０】
請求項１に係る考案の撮影用装飾具は、運動具を象った板状体の表面側に、複数の文字板から選択した１つ以上の文字板を着脱自在に取り付けることが可能であるので、各種行事やスポーツ大会等で手軽に利用することができ、かつ、利用者や撮影者が、各種行事やスポーツ大会にマッチした文字を自由に取り付けることができる。
【００１１】
請求項２に係る考案によれば、請求項１に係る考案の撮影用装飾具による効果に加えて、文字板を着脱自在に保持する保持手段が板状体の表面に取り付けられた保持用磁石又は保持用磁性体であり、複数の文字板の裏面には、保持用磁石に吸着する吸着用磁性体若しくは吸着用磁石又は保持用磁性体に吸着する吸着用磁石が設けられているので、板状体の表面側に自由な角度で文字板を着脱自在に取り付けることができる。
また、文字板の裏面に吸着用磁性体を設ける場合、文字板同士が吸着してしまうことがなく、板状体の表面に保持用磁石を取り付け文字板の裏面に吸着用磁石を設ける場合、強い吸着力が得られるので、文字板が板状体の表面側からずれ落ちることがない。
【００１２】
請求項３に係る考案によれば、請求項１又は２に係る考案の撮影用装飾具による効果に加えて、複数の文字板には、少なくとも５０音の平仮名、濁点及び半濁点が含まれているので、撮影される人が希望する表示（子供や活躍した人の名前や感謝の言葉等）を板状体の表面側に取り付けて思い出に残る撮影を行うことができる。
【００１３】
請求項４に係る考案によれば、請求項１〜３のいずれかに係る考案の撮影用装飾具による効果に加えて、板状体が羽子板を象ったものであるので、伝統的な各種行事（七五三、お正月、成人式等）において利用しやすい撮影用装飾具を提供することができる。
【図面の簡単な説明】
【００１４】
【図１】実施例１に係る撮影用装飾具を利用する状態における正面図。
【図２】本体部の断面図。
【図３】文字板の裏面構造を示す図。
【図４】装飾体の裏面構造を示す図。
【図５】実施例２に係る撮影用装飾具を利用する状態における正面図。
【考案を実施するための形態】
【００１５】
以下、実施例によって本考案の実施形態を説明する。
【実施例１】
【００１６】
図１は実施例１に係る撮影用装飾具を利用する状態における正面図、図２は本体部の断面図、図３は文字板の裏面構造を示す図、図４は装飾体の裏面構造を示す図である。
図１に示すとおり、実施例１に係る撮影用装飾具は、台座１と、台座１にほぼ垂直に固定されている羽子板のような形態の本体部２と、本体部２の表面に取り付けられている文字板３（七、五、三を形成する板）と、同じく本体部２の表面に取り付けられている複数の装飾体４（布製の造花）から構成されている。
【００１７】
本体部２は、図１及び２から分かるように、羽子板を象った板状体５と、板状体５の表面に取り付けられた鉄板６と、布製カバー７と、布製カバー７の端部に設けられているリング状のゴム紐８とからなっており、布製カバー７は、ゴム紐８を用いて板状体５及び鉄板６の大部分を包み込み、固定することができるようになっている。
また、図３に示すとおり、文字板３の裏面には、１箇所又は２箇所に円形の吸着用磁石９が設けられ、図４に示すとおり、装飾体４の裏面には、２箇所に円形の吸着用磁石１０が設けられている。
そして、鉄板６に吸着用磁石９及び１０を吸着させることによって、本体部２の表面に１つ以上の文字板３及び装飾体４を着脱自在に保持することができ、文字板３及び装飾体４を全て外した状態においては、布製カバー７を外すことができるので、他のデザインの布製カバーを用意しておけば、容易に本体部２のデザインを変更することができる。
なお、図１では文字板３として、七、五、三を形成する板を示したが、羽子板を撮影用装飾具として用いることが適している各種行事（お正月や成人式等）を表示するために、お、正、月、成、人、式、祝等の文字を形成する板を、種々用意しておくと良い。
【実施例２】
【００１８】
図５は実施例２に係る撮影用装飾具を利用する状態における正面図である。
実施例２に係る撮影用装飾具は、実施例１の文字板３（七、五、三を形成する板）に代えて、平仮名の文字板１１（さ、く、らを形成する板）を用いている点だけが異なる。
すなわち、実施例１では行事を表す文字板３を用意していたのに対し、実施例２では、主として撮影される人の名前を表すために、平仮名の文字板１１を用意している。
そのため、図５では平仮名の文字板１１として、さ、く、らを形成する板を示したが、様々な人の名前を表示できるようにするために、少なくとも５０音の平仮名、濁点及び半濁点等の文字を形成する板を用意しておく必要があり、さらに、年令を表示するために数字の文字板、「さい」、「おめでとう」、「ちゃん」及び「くん」等の言葉を表示するための文字板を用意しておくとより良い。
【００１９】
実施例１及び２の変形例を列記する。
（１）実施例１及び２の撮影用装飾具は、台座１と、台座１にほぼ垂直に固定されている本体部２を有し、本体部２は、板状体５と鉄板６と板状体５及び鉄板６の大部分を包み込む布製カバー７とゴム紐８を備えているが、本体部２は立てかけておくことが可能であり、布製カバー７やゴム紐８は見栄えを良くするものなので、台座１、布製カバー７及びゴム紐８はなくても良い。
（２）実施例１及び２の撮影用装飾具は、板状体５の表面に取り付けられた鉄板６と、文字板３及び装飾体４の裏面に設けられている吸着用磁石９、１０を有しているが、装飾体４の裏面に設けられている吸着用磁石１０は有していなくても、各種行事やスポーツ大会にマッチした文字を自由に取り付けられるようにするという課題は達成できる。
そして、吸着用磁石１０を設けない場合、装飾体４は、布製カバー７の表面に縫い付けたり、布製カバー７を用いずに板状体５や鉄板６の表面に直接接着したりするなどして、適宜固定すれば良い。
【００２０】
（３）実施例１及び２の撮影用装飾具は、羽子板のような形態の本体部２と、羽子板を象った板状体５を有しているが、スポーツ大会での利用を考慮すれば、各種スポーツで用いる運動具のような形態の本体部や運動具を象った板状体を用意しておくと良い。
そうした場合、スポーツ名や大会名を表示するための文字板を用意しておくとより良い。
そして、例えば、テニス、バドミントン、卓球、スカッシュの大会用には、それらのスポーツで用いるラケットを象ったものを用意し、サッカー、フットサル、バスケットボール、ラグビー、アメリカンフットボール、バレーボール、ハンドボールの大会用には、それらのスポーツで用いるボールを象ったものを用意し、野球、ソフトボールの大会用には、それらのスポーツで用いるボール、バット及びグローブ又はそれらの組み合わせを象ったものを用意することが考えられる。
【００２１】
（４）実施例１及び２の撮影用装飾具においては、本体部２の表面に文字板３、装飾体４及び平仮名の文字板１１を着脱自在に保持するため、鉄板６と吸着用磁石９、１０を用いたが、鉄板６に代えて他の磁性体の板を用いても良く磁石を用いても良い。
そこで、これらを保持用磁性体及び保持用磁石と呼ぶこととするが、保持用磁石を用いた場合には、吸着用磁石９、１０に代えて吸着用磁性体を用いても良い。
なお、保持用磁石としては板状磁石のほか、小さいものしか用意できない場合には、その面積や文字板３等の配置位置に応じて、複数の保持用磁石を板状体５の表面に適宜配置しても良い。
（５）実施例１及び２の撮影用装飾具においては、本体部２の表面に文字板３、装飾体４及び平仮名の文字板１１を着脱自在に保持するため、鉄板６と吸着用磁石９、１０を用いたが、磁力を利用しない保持手段、例えば、以下のような保持手段を用いても良い。
ａ．板状体５又は布製カバー７の表面に面ファスナーの一方を取り付けておき、文字板３、装飾体４及び平仮名の文字板１１の裏面に面ファスナーの他方を設ける面ファスナー式保持手段。
ｂ．板状体５又は布製カバー７の表面に文字板３等を保持可能な、透明又は前面に窓を有するポケットを設けるポケット式保持手段。
ｃ．板状体５の表面に穴、溝又はアリ溝を設け、文字板３、装飾体４及び平仮名の文字板１１の裏面に穴、溝又はアリ溝に嵌合する突起を設ける嵌合式保持手段。
ｄ．板状体５の表面を平滑面とし、文字板３、装飾体４及び平仮名の文字板１１の裏面に吸盤を設ける吸盤式保持手段。
【符号の説明】
【００２２】
１  台座      ２  本体部        ３  文字板      ４  装飾体
５  板状体      ６  鉄板      ７  布製カバー      ８  ゴム紐
９、１０  吸着用磁石      １１  平仮名の文字板
【図１】
0003220948.tif 000003
【図２】
0003220948.tif 000004
【図３】
0003220948.tif 000005
【図４】
0003220948.tif 000006
【図５】
0003220948.tif 000007